(57)【要約】【課題】一般市販の安価な下葺材を用いながら、漏水問題が生ずることのない新規な屋根下葺材の施工方法を提供する。【解決手段】本発明の屋根下葺材の施工方法は、下葺材を勾配屋根に軒先側から棟側へ重ね部を作りながら貼り、該重ね部には直にステープルを打込み、非重ね部には下葺材からなる小片を重ねてステープルを打込むように施工するものである。特に、一重部（非重ね部）が風で煽られても下葺材が暴れないようにステープル止めを行うが、小片を重ねてステープル止めをしているため、ステープル止め個所に人の体重がかかって裂け目が生じたとしてもその裂け目は前記小片により傘のように覆われるため、漏水の問題は生じないように構成されているものである。【選択図】図１
2005299339.tif 000002
【特許請求の範囲】
【請求項１】
下葺材を勾配屋根に軒先側から棟側へ重ね部を作りながら貼ってステープル止めを行うに際し、該ステープル止めを前記重ね部には直に、非重ね部には下葺材からなる小片を当てて行うことを特徴とする屋根下葺材の施工方法。
【請求項２】
前記小片が、予め、切断線を介して帯状に連接されており、該切断線から切り離しつつ前記非重ね部に当てることを特徴とする請求項１に記載の屋根下葺材の施工方法。
【発明の詳細な説明】
【技術分野】
【０００１】
本発明は、施工後の下葺材上に降雨があった場合でも漏水を確実に防止できるようにした屋根下葺材の施工方法に関するものである。
【背景技術】
【０００２】
従来、勾配屋根に下葺材を施工する場合、該下葺材は下地板（野地板）にステープル止めをする。そのステープルの数は、たとえば、５０坪の屋根面積の場合で、約３，０００本にもなる。この下葺材は防水を目的として敷設するものであり、これにステープルを打ち込めば下葺材に穴を開ける結果、下葺材の防水性という本来の目的を減殺することになる。すなわち、瓦等の上葺材を施工した後の降雨の場合には、たとえ下葺材上に雨水がまわり込んでも、水は「流れ（フロー）」の状態となるため、表面張力との関係もあってステープル穴からの漏水は実験的にも殆ど認められない。
【０００３】
ところが、従来の施工法で下葺材を施工した場合には、上葺材を施工する前の降雨で漏水事故を起こすことがしばしばあった。従来は、図５に示す如く、勾配屋根１に下葺材２を、軒先側Ａから棟側Ｂへ重ね部３を作りながら貼り、その重ね部３のほか、一重部（非重ね部）３ａにもステープル４を打ち込んで行く方法を採っていた。これは一般市販の下葺材は強度が弱いため、風で煽られても下葺材が暴れると破れる可能性があることから、これを防ぐためにも一重部３ａをステープルで止める必要があった。
【０００４】
上記一重部３ａがステープル４で止められていると、下葺材２上に作業者が乗り、その人の体重Ｇがかかって下葺材２が屋根の傾斜に沿って下方向にズレると、図６の如く、ステープル止め個所に裂け目５が出来、しかも、該裂け目５からの漏水事故は防ぎようがなかった。
【０００５】
そこで、本出願人は、上記従来の施工法を改善するため、先に、下葺材として不織布で補強した特殊のものを用い、該下葺材を勾配屋根に軒先側から棟側へ重ね部を作りながら貼ってステープル止めを行うに際し、該ステープル止めを軒先部の最初の一列を除いて重ね部のみに行うという新施工法を開示（特許第３０８８６７４号）した。これは、不織布で補強した下葺材の強度が高く、下葺材が風で煽られて暴れても破れることがなく、したがって、重ね部３のみをステープル止めすれば足りる。しかも、人の体重がかかって下葺材が屋根の傾斜に沿って下方向にズレてできる裂け目５は、重ね部３の下側部分３′のみであり、重ね部３の上側部分３″は弛みＴが生ずるだけであり、該上側部分３″が前記裂け目５を覆うため、漏水の問題を生じさせないという技術である。
【発明の開示】
【発明が解決しようとする課題】
【０００６】
しかしながら、上記新施工法で使われている下葺材は、不織布で補強されていることから、一般市販の下葺材に比べて高価となり、したがって、建設コストを高騰させるという問題があった。
【０００７】
本発明は、上記の点に鑑み創出したもので、その目的とするところは、一般市販の安価な下葺材を用いながら、漏水問題の生ずることのない新規な屋根下葺材の施工方法を提供することを目的としている。
【課題を解決するための手段】
【０００８】
上記の目的を達成するため、本発明に係る施工法は、下葺材を勾配屋根に軒先側から棟側へ重ね部を作りながら貼ってステープル止めを行うに際し、該ステープル止めを前記重ね部には直に、非重ね部には下葺材からなる小片を当てて行うようにしたものである。また、請求項２に記載の発明は、前記小片が、予め切断線を介して帯状に連接されており、該切断線から切り離しつつ前記非重ね部に当てるようにしたものである。
【発明の効果】
【０００９】
本発明に係る屋根下葺材の施工方法によれば、ステープル止めを行った後に作業者の体重がかかって下葺材が屋根の傾斜に沿って下方向にズレて、一重部である非重ね部のステープルを止めた個所に裂け目が生じたとしても、その裂け目は小片により傘のように覆われており、この裂け目からの漏水の問題は生じない。もちろん、ステープル止めした重ね部では下側部分にのみ裂け目が生じ、上側部分には裂け目がないため、ここからの漏水の問題も生じない。また、前記小片は雨水を堰き止めることがないし、小片を当ててステープル打ちを行うことからタッカーの衝撃を下葺材の一重部に直に伝えることがない、などの優れた効果を奏するものである。
【００１０】
また、請求項２に記載の施工法によれば、前記小片は切断線から切り離しつつ下葺材の一重部に当てるように作業ができるので、作業性が向上するという優れた効果を奏するものである。
【発明を実施するための最良の形態】
【００１１】
次に、本発明を添付図面に基づいて説明する。図１は本願施工法で敷設した略示的斜視図、図２は非重ね部に重ねる小片の連接体を示す平面図、図３は本願施工法で敷設した下葺材を示す断面図、図４は本願施工法の後に下葺材に裂け目が生じた状態を示す断面図、図５は従来施工法で敷設した下葺材を示す断面図、図６は従来施工法の後に下葺材に裂け目が生じた状態を示す断面図である。
【００１２】
本願施工では、先ず、勾配屋根の下地板（野地板）１０に、第１列目の下葺材１１をその幅方向の一縁を軒先側Ａに沿わせるようにして貼る。そして軒先側Ａに沿ってステープル１２をハンマータッカー（図示せず）を利用してほぼ１０〜１５ｃｍ間隔に打ち込む。この軒先側Ａには、予めトタン板などの水切り板１３が貼られている。
【００１３】
前記第１列目の下葺材１１の軒先側Ａをステープル１２によって止めた後、第２列目の下葺材１１′を、前記第１列目の下葺材１１の棟側に一定量（ほぼ１０ｃｍ程度）の重ね部１４を作りながら貼ることになる。該第２列目の下葺材１１′を貼る前に、前記第１列目の下葺材１１の一重部（非重ね部）１１ａには、下葺材からなる小片１５を当てて前記ステープル１２を打込む。一重部（非重ね部）１１ａをステープル止めする理由は、強度の弱い一般市販の下葺材が風で煽られて下葺材が暴れて破れることを防ぐためである。また、ステープル１２を下葺材からなる小片１５を当てて行うのは、ステープルを止めた個所が上述のような理由で裂け目が生じたときにおいて、該裂け目を覆う傘の役目を果たさせるためである。
【００１４】
次いで、前記第２列目の下葺材１１′の重ね部（第１列目の下葺材１１との）１４を、ステープル１２を打ち込んで下地板１０に止める。この重ね部１４では、ステープルを止めた個所が上述のような理由で裂け目１６が生ずるのは、重ね部１４の下側部分１４′のみであり、裂け目のできない上側部分に覆いの役目を果たさせることとなる。
【００１５】
しかる後、第２列目の下葺材１１′の非重ね部１１ａに前記小片１５を当ててステープル１２を打込む。次いで、第３列目の下葺材１１″を、前記第２列目の下葺材１１′の棟側に一定量（ほぼ１０ｃｍ程度）の重ね部１４を作りながら貼り、非重ね部１１ａには前記小片１５を当ててステープルを打ち込み、重ね部１４には直にステープルを打ち込んで行く。以下、第４列目、第５列目と同様の手順で作業を進行させる。
【００１６】
前記下葺材１１、１１′、１１″…は、上述の如く一般市販のものでよい。たとえば、紙にアスファルトを含浸させ、表層に砂及び又は塗料塗布層を設けてなるもの（アスファルトルーフィング９４０＜２２ｋｇルーフ＞）、または、紙を芯材とし、その上下に改質アスファルト層（ゴム化アスファルト層）を設け、表層に砂及び又は塗料塗布層を設けてなるもの（ゴムアスルーフィング）のいずれを用いても良い。
【００１７】
前記小片１５は、下葺材からなるが、本願施工法において具体的に使用する下葺材と異なっていてもよい。また、前記小片１５は下葺材を必要な大きさに予め断裁したバラバラなものであってもよいが、図２の如く、予め切断線１６を介して帯状に連接させ、該切断線１６から切り離しつつ非重ね部１１ａに当てて行けるものが作業上好適である。この場合、芯管に巻いて保管し、使用に際し、巻き戻しつつ切断線１６から切り離すようにすると効率のよいスムーズな作業が可能となる。
【００１８】
本願施工法にて施工した後、図３の如く、下葺材１１の上に人の体重Ｇがかかった場合において、下葺材１１が屋根の傾斜に沿って下向きにズレると、図４の如く、重ね部１４の下側部分１４′には裂け目１６が生じる。一方、重ね部１４の上側部分１４″は弛みＴが生じるだけで裂け目は生じない。したがって、前記裂け目１６は、常に上側部分１４″により覆われているため、夕立のような雨の場合でも漏水の問題は一切生じないことが実験的に確認されている。
【００１９】
また、非重ね部１１ａは、前述の如く、風で煽られても下葺材が暴れないようにステープル止めを行うが、該ステープル１２は小片１５を当てて行うため、下葺材に人の体重Ｇがかかって裂け目１６が生じても、その裂け目１６は前記小片１５により傘のように覆われることとなり、漏水の問題は生じない。
【００２０】
さらに、前記小片１５は雨水を堰き止めることがないし、非重ね部１１ａにステープル１２をハンマータッカーなどを用いて打ち込むときに、その打ち込み部に小片１５を当てると、タッカーなどの衝撃を下葺材に直に伝えることがないという利点がある。
【産業上の利用可能性】
【００２１】
本願施工法は、一般市販の下葺材を勾配屋根に軒先側から棟側へ重ね部を作りながら貼ってステープル止めを行うに際し、該ステープル止めを漏水の問題の発生がなく施工できるようにしたもので、特に、非重ね部に下葺材からなる小片を重ねてステープル止めを行うところに特徴を有しているものである。
【図面の簡単な説明】
【００２２】
【図１】本願施工法で敷設した略示的斜視図である。
【図２】非重ね部に重ねる小片の連接体を示す平面図である。
【図３】本願施工法で敷設した下葺材を示す断面図である。
【図４】本願施工法の後に下葺材に裂け目が生じた状態を示す断面図である。
【図５】従来施工法で敷設した下葺材を示す断面図である。
【図６】従来施工法の後に下葺材に裂け目が生じた状態を示す断面図である。
【符号の説明】
【００２３】
１０  下地板（野地板）
１１  下葺材
１１ａ  一重部（非重ね部）
１２  ステープル
１３  水切り板
１４  重ね部
１４′  下側部分
１４″  上側部分
１５  小片
１６  裂け目
Ａ  軒先側
Ｂ  棟側
【図１】
2005299339.tif 000003
【図２】
2005299339.tif 000004
【図３】
2005299339.tif 000005
【図４】
2005299339.tif 000006
【図５】
2005299339.tif 000007
【図６】
2005299339.tif 000008